(57)【要約】【課題】不正入賞検出精度を向上させることが可能となり、不正入賞検出の信頼性を高めることができる遊技機を提供する。【解決手段】遊技盤２の前面３に設けられた入賞部品１に球検出器７を球検出可能な状態に備えた遊技機において、入賞部品１の球検出器７の近傍における遊技盤２の前面３に電磁波や磁気を検出するセンサ（ダミー球検出器１０）を設けるようにした。特に、センサとしては球検出不可能な状態に設けられた球検出器（ダミー球検出器１０）を用いる。また、センサとして用いる球検出器は入賞部品の球検出器と同一種の球検出器を用いる。【選択図】        図２
2004147687.tif 000002
【特許請求の範囲】
【請求項１】
遊技盤の前面に設けられた入賞部品に球検出器を球検出可能な状態に備えた遊技機において、入賞部品の球検出器の近傍における遊技盤の前面に電磁波や磁気を検出するセンサが設けられたことを特徴とする遊技機。
【請求項２】
センサは遊技者が認識可能な状態に設けられたことを特徴とする請求項１に記載の遊技機。
【請求項３】
センサとして球検出不可能な状態に設けられた球検出器を用いたことを特徴とする請求項１又は請求項２に記載の遊技機。
【請求項４】
センサとして用いる球検出器は入賞部品の球検出器と同一種の球検出器を用いたことを特徴とする請求項３に記載の遊技機。
【発明の詳細な説明】
【０００１】
【発明の属する技術分野】
本発明は、不正入賞検出機能を備えた遊技機に関する。
【０００２】
【従来の技術】
遊技盤の前面には、入賞球通路に入賞検出用の球検出器を備えた入賞部品が設けられている。この球検出器は、球検出孔と、球検出孔の周りを取り囲むように設けられたコイルと、球が球検出孔を通過することによるコイルのインピーダンスの変化に基づいて球を検出する検出回路部とを有し、球検出信号は信号線を介して遊技機の制御装置に送られる。遊技者が電磁波や磁気で球検出器のコイルのインピーダンスを変化させて入賞検出用の球検出器を作動させる不正な入賞を検出するために、入賞検出用の球検出器と同一性能のダミー球検出器を入賞部品の近傍における遊技盤の裏面に取付けるようにした遊技機がある。このダミー球検出器は、球が球検出孔を通過することがなく球検出不可能な状態に設置されている。この遊技機によれば、遊技者が電磁波や磁気で不正に入賞検出用の球検出器を作動させ不正に入賞を得た場合には、ダミー球検出器も電磁波や磁気を検出して作動する可能性が高いので、入賞検出用の球検出器とダミー球検出器の両方が作動したことを制御装置で検知したならば警報などを出すことにより店側は遊技者が不正行為を行なったことを知ることができる（例えば、特許文献１参照）。また、変動入賞部品の内側に入賞検出用の球検出器とダミー球検出器の両方を設けた遊技機がある（例えば、特許文献２参照）。この遊技機では、入賞検出用の球検出器の球検出孔は、遊技盤に形成された変動入賞部品取付孔の内部、即ち、遊技盤の内部位置に配置される。ダミー球検出器の球検出孔も変動入賞部品の内側、即ち、遊技盤の内部位置に配置される。また、ダミー球検出器は、変動入賞部品の入賞開閉扉の開閉によっても遊技者側から視認することができないように配置されている。
【０００３】
【特許文献１】
特開２０００−３３１６７号公報
【特許文献２】
特許第２５１４４２５号特許公報
【０００４】
【発明が解決しようとする課題】
特許文献１及び特許文献２のいずれにおいても、ダミー球検出器は遊技盤の前面より後側、即ち、厚さは約１８ｍｍ程度の遊技盤の裏面あるいは内部位置に設けられている。従って、遊技者側から到来する不正な電磁波や磁気が微弱な電磁波や磁気であるような場合には、入賞検出用の球検出器でだけ検出されてダミー球検出器では検出されないというような事態が生じる可能性がある。また、特に、特許文献１の構成の場合は、遊技盤の厚さは約１８ｍｍ程度あるので、遊技盤の前面に位置する入賞検出用の球検出器と遊技盤の裏面に取付けられたダミー球検出器とで、遊技者側から到来する不正な電磁波や磁気を検出する精度に差が生じてしまう。従って、不正な電磁波や磁気が入賞検出用の球検出器でだけ検出されてダミー球検出器では検出されないというような事態が生じる可能性がある。従って、特許文献１や特許文献２の構成では、不正入賞検出の信頼性に欠けるといった課題があった。
【０００５】
本発明は、不正入賞検出精度を向上させることが可能となり、不正入賞検出の信頼性を高めることができる遊技機を提供するものである。
【０００６】
【課題を解決するための手段】
本発明では、遊技盤の前面に設けられた入賞部品に球検出器を球検出可能な状態に備えた遊技機において、入賞部品の球検出器の近傍における遊技盤の前面に電磁波や磁気を検出するセンサを設けるようにしたので、球検出器の球検出部とセンサの位置が遊技盤の前方に配置されるガラス等の透視性を有するパネル（図示せず）から近い位置に位置することになり、仮に遊技者が発生させる不正な電磁波や磁気が微弱なものであるような場合でも、球検出器とセンサの両方で検出される可能性が高くなり、従来の特許文献１，２の構成に比べて、不正入賞検出精度を向上させることが可能となる。
また、センサは遊技者が認識可能な状態に設けるようにしたことにより、遊技者に対する不正行為抑止効果が得られる。
また、センサとして球検出不可能な状態に設けられた球検出器を用いるようにすることで、不正入賞検出精度をさらに向上させることが可能となる。
また、センサとして用いる球検出器は入賞部品の球検出器と同一種の球検出器を用いるようにすれば、例えば、同一種の各球検出器の各球検出孔を遊技盤の前面より前方でかつ遊技盤の前面から同距離の位置に位置するように取付けることで、遊技者側から到来する電磁波や磁気に対する各球検出器の検出精度の差を微少にできるので、不正入賞検出精度をさらに向上させることができ、不正入賞検出の信頼性が高い遊技機を提供できる。
【０００７】
【発明の実施の形態】
実施形態１．
図１は入賞検出用の球検出器とダミー球検出器とを備えた入賞部品の斜視図、図２は入賞部品を遊技盤の前面に取付けた状態を示す縦断面図である。
各図に示すように、図柄始動入賞部品、変動入賞部品、一般入賞部品等の入賞部品１は、遊技盤２の前面３に取付けられる取付ベース４と、取付ベース４の前面に設けられた入賞口部５と、入賞口部５の入賞球通路６に球検出可能な状態に取付けられた入賞検出用の球検出器７と、入賞口部５の入賞球通路６を通過して取付ベース４に形成された排出孔４ａを介して遊技機の裏側に排出される球を島と呼ばれる遊技機設置設備に送るために取付ベース４の裏側に設けられた球樋８と、入賞口部５の下部側に形成されたダミー球検出器取付部９に取付けられたダミー球検出器１０と、取付ベース４の裏側に設けられて先端側に各球検出器７，１０の後端側に係止するフック１１ａ，１１ｂを備え、各球検出器７，１０を固定する固定用アーム係止片１２ａ，１２ｂとを備える。
入賞検出用の球検出器７は、入賞球通路６の取付ベース側に形成された取付孔６ａを介して球検出孔７ａが設けられている先端側を入賞球通路６側に挿入し、入賞球通路６の内壁に形成された溝６ｂに先端側及び両端側を嵌め込んで、後端側を固定用アーム係止片１２ａのフック１１ａに係止させて取付けられる。
ダミー球検出器取付部９は、入賞口部５の下部側に形成された取付ベース４側開放の溝より成り、この溝内に球検出孔１０ａ側を嵌め込み、後端側を固定用アーム係止片１２ｂのフック１１ｂに係止させることでダミー球検出器１０が取付けられる。つまり、ダミー球検出器１０の球検出孔１０ａの上下側が入賞口部５を形成する材料である樹脂等で塞がれた状態、即ち、球が球検出孔１０ａを通過することがなく球検出不可能な状態にダミー球検出器１０は取付けられている。
【０００８】
入賞検出用の球検出器７とダミー球検出器１０は、電磁波や磁気の検出性能、形状、大きさ、色等が同じ同一種の球検出器を用いる。また、入賞検出用の球検出器７とダミー球検出器１０は、それぞれの球検出孔７ａ，１０ａが遊技盤２の前面３より前方（遊技者側）で遊技盤２の前面３から同距離の位置に位置するように取付けられており、かつ、ダミー球検出器１０は入賞検出用の球検出器７に近い位置に取付けられている。即ち、球検出孔１０ａと球検出孔７ａは互いに干渉しない程度に互いに近い位置に設置される。
【０００９】
遊技盤２において入賞部品１を取付ける位置にはあらかじめ入賞部品取付孔２０が形成されており、入賞検出用の球検出器７とダミー球検出器１０とが取付けられた入賞部品１は、図２に示すように、入賞部品取付孔２０を取付ベース４で塞ぐように遊技盤２の前面３に取付けられる。取付ベース４には取付孔２１が形成されており、取付ベース４は取付孔２１を介して遊技盤２にねじ２２等で取付けられる。尚、２３ａ，２３ｂは各球検出器７，１０と制御装置３０とを繋ぐ信号線、２４ａ，２４ｂは信号線接続コネクタ、Ｐは球である。
【００１０】
以上の構成において、入賞口部５の入賞球通路６に球が入ると球が入賞検出用の球検出器７の球検出孔７ａを通過するので、球検出孔７ａの周りを取り囲むように設けられたコイル７ｂのインピーダンスが変化し、この変化が検出回路部７ｃで検出されて球検出信号が信号線２３ａを介して遊技機の制御装置３０に送られる。これにより制御装置３０は所定数の球の払出しを球払出装置に指令したり、図柄表示装置の図柄を変動させたりする。ダミー球検出器１０は球を検出することがないので、通常、作動することがないが、電磁波や磁気を検出して作動する。即ち、電磁波や磁気により、ダミー球検出器１０の球検出孔１０ａの周りを取り囲むように設けられたコイル１０ｂのインピーダンスが変化し、この変化が検出回路部１０ｃで検出されて球検出信号が信号線２３ｂを介して遊技機の制御装置３０に送られるからである。従って、遊技者が電磁波や磁気を発生させて入賞検出用の球検出器７を不正に作動させた場合、ダミー球検出器１０もその電磁波や磁気を検出して作動する。よって、入賞検出用の球検出器７とダミー球検出器１０の両方が作動したことを制御装置３０で検知したならば警報などを出すことにより店側は遊技者が不正行為を行なったことを知ることができる。
【００１１】
実施形態１では、同一種の入賞検出用の球検出器７とダミー球検出器１０の球検出孔７ａ，１０ａを遊技盤２の前面３より前方で遊技盤２の前面３から同距離の位置に位置するように取付けたので、入賞検出用の球検出器７とダミー球検出器１０の球検出孔７ａ，１０ａの位置が遊技盤２の前方に配置されるガラス等の透視性を有するパネル（図示せず）から近い位置に位置することから、仮に遊技者が発生させる不正な電磁波や磁気が微弱なものであるような場合でも、入賞検出用の球検出器７とダミー球検出器１０の両方で検出される可能性が高くなる。また、ダミー球検出器１０を入賞検出用の球検出器７に近い位置に取付け、球検出孔１０ａと球検出孔７ａは互いに干渉しない程度に互いに近い位置に設置されるようにしたので、不正な電磁波や磁気に対する入賞検出用の球検出器７とダミー球検出器１０の検出精度の差は微少になる。従って、実施形態１によれば、従来の特許文献１，２の構成に比べて、不正入賞検出精度を向上させることができる。
【００１２】
実施形態２．
図２の入賞口部５においてダミー球検出器１０が取付けられている部分の下側の部分５ｅを開放にして球検出孔１０ａに球が入らないようにこの開放部の下に遮蔽物等の球通過阻止材を設けたり、あるいは、図２の入賞口部５においてダミー球検出器１０が取付けられている部分の下側の部分５ｅに球が入らないような開放部を設けるようにしてもよい。
以上のように、ダミー球検出器１０の球検出孔１０ａの上下側を塞がないようにダミー球検出器１０を取付けるようにすれば、電磁波や磁気がダミー球検出器１０の球検出孔１０ａ内に侵入しやすくなるので、入賞検出用の球検出器７とダミー球検出器１０の電磁波や磁気に対する検出精度の差をさらに微少にでき、不正入賞検出精度をさらに向上させることが可能となる。
【００１３】
実施形態３．
ダミー球検出器１０は、図３（ａ），（ｂ）に示すように、入賞検出用の球検出器７のみを備えた入賞口部５０を有する入賞部品４０とは別に設けてもよい。例えば、ダミー球検出器１０の球検出孔１０ａが設けられている側を保持し、ダミー球検出器１０が存在することを遊技者が視認により認識できるようにダミー球検出器１０を遊技盤２に取付けるためのダミー球検出器取付用部品４１を用いることにより、ダミー球検出器を入賞部品４０の横の位置や下の位置に設け、かつ、球がダミー球検出器１０の球検出孔１０ａを通過しないように球検出孔１０ａの上や下の位置に釘４３等の球通過阻止材を設けるようにしてもよい。即ち、ダミー球検出器取付用部品４１は、ねじ２２などで遊技盤２の前面３に取付けられ、遊技盤２の前面３との間に上下に貫通する空間を形成するものであり、内壁にはダミー球検出器１０の球検出孔１０ａが設けられている先端側及び両端側を保持する溝（図２の溝６ｂと同様なもの）が形成されていて、さらに固定用アーム係止片（図１の固定用アーム係止片１２ｂと同様なもの）を備え、これによりダミー球検出器１０がダミー球検出器取付用部品４１に固定状態に取付けられる。これにより、遊技者はダミー球検出器取付用部品４１の上方側から覗き込めばダミー球検出器１０の球検出孔１０ａの近傍部分を視認できる。尚、４２は入賞部品４０の取付ベースである。
また、図３（ａ），（ｂ）のような入賞口部５０とダミー球検出器取付用部品４１とを共に図１のような取付ベース４に設けた入賞部品としてもよい。
以上によれば、ダミー球検出器１０が存在することを遊技者が視認できるように、かつ、球検出孔１０ａが遊技盤２の前面３より前方に位置するようダミー球検出器取付用部品４１を用いてダミー球検出器１０を取付けたので、実施形態１の効果の他に、遊技者がダミー球検出器１０を視認すれば遊技者は不正行為ができないと認識するので、不正行為抑制効果が得られる。即ち、遊技者が視認により認識できるような状態にダミー球検出器１０を設けるようにすれば、遊技者に対する不正行為抑止効果が得られる。また、ダミー球検出器１０の球検出孔１０ａ側の部分を保持するダミー球検出器取付用部品４１の上下側が開放しており、不正な電磁波や磁気がダミー球検出器１０の球検出孔１０ａ内に侵入しやすくなるので、入賞検出用の球検出器７とダミー球検出器１０の電磁波や磁気に対する検出精度の差をさらに微少にでき、不正入賞検出精度をさらに向上させることが可能となる。
【００１４】
実施形態４．
遊技者が視認により認識できるような状態にダミー球検出器１０を設ける態様としては、図４に示すように、図１，２のダミー球検出器１０の先端に対応する入賞口部５の部分に、入賞口部５の前面５ａからダミー球検出器取付部９に貫通する貫通孔５９を設けて、この貫通孔５９を介して遊技者がダミー球検出器１０を視認により認識できるようにしてもよい。
また、図１，２の入賞口部５や図３のダミー球検出器取付用部品４１を透明な樹脂などで形成して、これにより遊技者がダミー球検出器１０を視認により認識できるようにしてもよい。
また、図１，２のダミー球検出器１０の先端に対応する入賞口部５の前面５ａや、図３のダミー球検出器１０の先端に対応するダミー球検出器取付用部品４１の前面４１ａに、例えば「不正防止センサ」等の文字を記したシールを貼るようにし、遊技者がこのシールを見てダミー球検出器１０の存在を認識できるように構成してもよい。
即ち、上述した貫通孔５９、透明な樹脂などで形成した入賞口部５やダミー球検出器取付用部品４１、シールなどのダミー球検出器認識部を設けることで、遊技者に対する不正行為抑止効果が得られる。
【００１５】
尚、上記では、球検出孔１０ａを備えたダミー球検出器１０を用いたが、球検出孔１０ａを備えない電磁波検出センサや磁気検出センサをダミー球検出器１０の代わりに用いてもよい。この場合でも、遊技盤２の前面３より前方に位置する入賞検出用の球検出器７の球検出孔７ａの近傍における遊技盤２の前面３に、ダミー球検出器１０の代わりの電磁波検出センサ等を設けるようにすることで、特許文献１，２の構成に比べて、不正入賞検出精度を向上させることが可能となる。尚、実施形態３，４に倣って、遊技者が認識できるような状態に上記電磁波検出センサ等を設けるようにすれば、遊技者に対する不正行為抑止効果が得られることはいうまでもない。
【図面の簡単な説明】
【図１】本発明の実施形態１の遊技機における入賞部品を示す斜視図。
【図２】実施形態１の遊技機における入賞部品を遊技盤の前面に取付けた状態を示す縦断面図。
【図３】実施形態３を示す正面図。
【図４】実施形態４を示す縦断面図。
【符号の説明】
１  入賞部品、２  遊技盤、３  遊技盤の前面、７  入賞検出用の球検出器、１０  ダミー球検出器（センサ）、５９  貫通孔（ダミー球検出器認識部）。
【図１】
2004147687.tif 000003
【図２】
2004147687.tif 000004
【図３】
2004147687.tif 000005
【図４】
2004147687.tif 000006